(57)【要約】      （修正有）【課題】組立効率を高め、複数の共有パワーバンクレンタルデバイスを迅速且つ効果的につなぎ合わせ、複数の共有パワーバンクレンタルデバイスがきちんと置かれないことまたは突き倒されやすいことを防ぐキャビネットタイプ共有パワーバンクを提供する。【解決手段】キャビネットタイプ共有パワーバンクは、前面カバー１とボトムカバー２がキャビネット３の両端にネジで固定され、キャビネットの左上隅、右上隅、左下隅と右下隅の四隅にスロット４が設けられ、スロットに位置決めエッジング５とスプライシングエッジング６が設けられ、スロットに対応する前面カバーとボトムカバーの内側にいずれも位置決め溝が設けられ、位置決めエッジングとスプライシングエッジングの両端の内側がいずれも位置決め溝の内側に当接され、前面カバーとボトムカバーを固定する時に精確に位置を決める。【選択図】図１
0003224544.tif 000002
【実用新案登録請求の範囲】
【請求項１】
前面カバー（1）、ボトムカバー（2）とキャビネット（3）を含み、
前記キャビネット（3）は、前記前面カバー（1）と前記ボトムカバー（2）の間に設けられ、
前記キャビネット（3）に、スロット（4）が設けられ、前記スロット（4）に位置決めエッジング（5）とスプライシングエッジング（6）が設けられ、
前記前面カバー（1）と前記ボトムカバー（2）の内側にいずれも位置決め溝（101）が設けられ、
前記位置決めエッジング(5)と前記スプライシングエッジング(6)の両端の内側は前記位置決め溝(101)の内側に当接し、
隣り合う二つの前記スロット(4)が前記スプライシングエッジング(6)を介して二つの前記キャビネット(3)を繋ぎ合わせることを特徴とするキャビネットタイプ共有パワーバンク。
【請求項２】
前記スロット(4)内に内溝(7)が設けられ、
前記位置決めエッジング(5)と前記スプライシングエッジング(6)の内側にいずれも突起(8)が設けられ、
前記スプライシングエッジング(6)に少なくとも二つの前記突起(8)が設けられ、前記突起(8)が前記内溝(7)に係合することを特徴とする請求項1記載のキャビネットタイプ共有パワーバンク。
【請求項３】
前記内溝(7)はリブ（71）と円弧面（72）を含み、
前記円弧面（72）は二つの前記リブ(71)の間に位置し、前記突起(8)の頂面は前記円弧面（72）に当接し、
前記突起（8）は二つの前記リブ(71)の間に当接することを特徴とする請求項2記載のキャビネットタイプ共有パワーバンク。
【請求項４】
前記突起(8)は前記凸型当接面(81)と凹型当接面（82）を含み、
前記凹型当接面（82）は前記凸型当接面（81）の両側に位置し、
前記凸型当接面(81)は前記円弧面（72）に当接し、
前記凹型当接面（82）は前記リブ(71)の表面に当接することを特徴とする請求項3記載のキャビネットタイプ共有パワーバンク。
【請求項５】
前記前面カバー(1)の正面に銘板(11)が設けられることを特徴とする請求項1記載のキャビネットタイプ共有パワーバンク。
【請求項６】
前記キャビネット(3)の内部にはパワーバンクを置くための置きホルダー(9)を備え、
前記前面カバー(1)には前記キャビネット(3)の内部に接続する置き口(12)が設けられ、
前記置き口(12)にはカバープレート(13)が設けられることを特徴とする請求項1記載のキャビネットタイプ共有パワーバンク。
【考案の詳細な説明】
【技術分野】
【０００１】
本考案は新型パワーバンクレンタル設備の技術分野に関し、特にキャビネットタイプ共有パワーバンクに関するものである。
【背景技術】
【０００２】
共有経済とは使用されていない資源を社会的なプラットフォームを通じて他人と共有し、収入を獲得する経済現象である。2016年、共有自転車の台頭は共有の概念を人々の視野に持ち込んだ。2017年、共有経済はもう一歩成長し、及んだ業界が増え続け、規模が拡大してきている。共有自転車、共有自動車、共有傘、共有パワーバンクなどの各種革新は人々の想像力を発揮し、同時に社会に使用されていない資源の合理的な利用を試みている。
【０００３】
但し、既存の共有パワーバンクデバイスは単一デバイスまたは複数デバイスがレンタル場所に並んで設置されていることが多く、複数デバイスが並んで設置されている場合、接続部品が不足しているため、複数の共有パワーバンクレンタルデバイスがきちんと置かれないこと、または突き倒しやすい。このゆえに、つなぎやすいパワーバンクレンタルデバイスを開発し、複数の共有パワーバンクレンタルデバイスがきちんと置かれないことまたは突き倒しやすいことを防止する。
【考案の概要】
【考案が解決しようとする課題】
【０００４】
本考案の目的は、従来技術の中で複数のパワーバンクデバイスがつなぎにくい技術問題を解決するためのキャビネットタイプ共有パワーバンクを提供することである。
【課題を解決するための手段】
【０００５】
上述した目的を達成するために、本考案は下記の技術プランを提案した。前面カバー、ボトムカバーとキャビネットを含み、前記キャビネットは前記前面カバーと前記ボトムカバーの間に設けられ、前記キャビネットにスロットが設けられ、前記スロットに位置決めエッジングとスプライシングエッジングが設けられ、前記前面カバーと前記ボトムカバーの内側にいずれも位置決め溝が設けられ、前記位置決めエッジングと前記スプライシングエッジングの両端の内側は前記位置決め溝の内側に当接し、隣り合う二つの前記スロットが前記スプライシングエッジングを介して二つの前記キャビネットを繋ぎ合わせるキャビネットタイプパワーバンクを提供する。
【０００６】
さらに、前記スロット内に内溝が設けられ、前記位置決めエッジングと前記スプライシングエッジングの内側にいずれも突起が設けられ、前記突起が前記内溝に係合し、前記スプライシングエッジングに少なくとも二つの前記突起が設けられる。
【０００７】
さらに、前記内溝はリブと円弧面を含み、前記円弧面は二つの前記リブの間に位置し、前記突起のトップ面は前記円弧面に当接し、前記突起は二つの前記リブの間に当接する。
【０００８】
さらに、前記突起は前記凸型当接面と凹型当接面を含み、前記凹型当接面は前記凸型当接面の両側に位置し、前記凸型当接面は前記円弧面に当接し、前記凹型当接面は前記リブの表面に当接する。
【０００９】
さらに、前記前面カバーの正面に銘板が設けられる。
【００１０】
さらに、前記キャビネットの内部にはパワーバンクを置くための置きホルダーを備え、前記前面カバーには前記キャビネットの内部に接続する置き口が設けられ、前記置き口にはカバープレートが設けられる。
【考案の効果】
【００１１】
本考案の有益な効果は下記の通りである。本考案のキャビネットタイプ共有パワーバンクはその前記前面カバーと前記ボトムカバーが前記キャビネットの両端にネジで固定され、前記キャビネットの左上隅、右上隅、左下隅と右下隅の四隅にスロットが設けられ、前記スロットに位置決めエッジングとスプライシングエッジングが設けられ、前記スロットに対応する前記前面カバーと前記ボトムカバーの内側にいずれも位置決め溝が設けられ、前記位置決めエッジングと前記スプライシングエッジングの両端の内側がいずれも前記位置決め溝の内側に当接され、前記前面カバーと前記ボトムカバーを固定する時に精確に位置を決めることができ、効果的に組立効率を高め、隣接する二つの前記スロットが、前記スプライシングエッジングによって、二つの前記キャビネットをつなぎ合わせ、複数の共有パワーバンクレンタルデバイスを迅速且つ効果的につなぎ合わせることを実現し、複数の共有パワーバンクレンタルデバイスがきちんと置かれないこと、または突き倒しやすいことを防止でき、安全性を高めることができる。
【図面の簡単な説明】
【００１２】
【図１】本考案実施形態の構造分解図である。
【図２】本考案実施形態のキャビネット構造図である。
【図３】図2の局所Aの構造図である。
【図４】本考案実施形態のスプライシングエッジング構造図である。
【図５】本考案実施形態の位置決めエッジング構造図である。
【図６】本考案実施形態のボトムカバー構造図である。
【図７】本考案実施形態の前面カバー構造図である。
【考案を実施するための形態】
【００１３】
以下、本考案の実施形態について詳しく説明し、実施形態の記号を図面の中で示す。最初から最後まで、同一または類似の記号は同一または類似の部品または同一または類似の機能を有する部品を示す。以下、添付図面を参照して説明する実施形態は例示的なものであり、本考案を説明するためのものであり、本考案を限定するものであると解釈できない。
【００１４】
本考案の説明では、専門用語「長さ」、「幅」、「上」、「下」、「前」、「後」、「左」、「右」、「垂直」、「水平」、「トップ」、「ボトム」、「内」、「外」などに示された方位または位置関係は図面に示す方位または位置関係に基づくものであり、本考案の説明を便利にし、説明を容易にするためだけであり、示された装置または部品は特定の方位を持ち、特定の方位で構造・操作することを指示したり、暗示したりするものではない。このゆえに、本考案に対する限定とは理解できない。
【００１５】
専門用語「第1」、「第2」は、説明の目的にのみ使用され、相対的な重要性を指示したり暗示したりすることまたは示された技術特徴の数量を示唆したりすることと理解できない。このゆえに、「第1」、「第2」を付けた特徴は一つまたは複数の当該特徴を含むことを意味する。本考案の説明では、「複数」の意味は特に具体的な限定がない限り、二つまたは二つ以上を意味する。
【００１６】
本考案では、特に明らかな規定と限定がない限り、「取付」、「つながる」、「接続」、「固定」などの専門用語は広義的に理解しなければならない。例えば、固定接続であってもよいし、着脱可能な接続であってもよいし、一体化になってもよい。機械的な接続でもよいし、電気的な接続でもよい。直接的な接続でもよいし、中間媒体を介して間接的な接続でもよい。二つの部品の内部連通でもよいし、二つの部品の相互作用関係でもよい。本技術分野の技術者にとって、具体的な状況に応じて、上記の用語が本考案における具体的な意味を理解できる。
【００１７】
図1〜図7に示すように、本考案のキャビネットタイプ共有パワーバンクは、前面カバー1、ボトムカバー2とキャビネット3を含む。キャビネット3は前面カバー1とボトムカバー2の間に設けられる。キャビネット3に、スロット4が設けられる。スロット4に位置決めエッジング5とスプライシングエッジング6が設けられる。
【００１８】
前面カバー1とボトムカバー2の内側にいずれも位置決め溝101が設けられる。位置決めエッジング5とスプライシングエッジング6の両端の内側は位置決め溝101の内側に当接する。隣り合う二つのスロット4がスプライシングエッジング6を介して二つのキャビネット3を繋ぎ合わせる。
【００１９】
具体的に言えば、前面カバー1とボトムカバー2がキャビネット3の両端にネジで固定される。キャビネット3の左上隅、右上隅、左下隅と右下隅の四隅に長手方向のスロット4が設けられる。スロット4に位置決めエッジング5とスプライシングエッジング6が長手方向に設けられる。スロット4に対応する前面カバー1とボトムカバー2の内側にいずれも位置決め溝101が設けられる。位置決めエッジング5とスプライシングエッジング6の両端の内側がいずれも位置決め溝101の内側に当接され、前面カバー１とボトムカバー2を固定する時に精確に位置を決めることができ、効果的に組立効率を高める。
【００２０】
隣接する二つのスロット4が、スプライシングエッジング6によって、二つのキャビネット3をつなぎ合わせ、複数の共有パワーバンクレンタルデバイスを迅速且つ効果的につなぎ合わせることを実現し、複数の共有パワーバンクレンタルデバイスがきちんと置かれないことまたは突き倒しやすいことを防止し、安全性を高める。
【００２１】
図2に示すように、本実施形態の中で、スロット4内に長手方向に設ける内溝7が設けられる。位置決めエッジング5とスプライシングエッジング6の内側にいずれも、長手方向に突起8が設けられる。突起8が内溝7に係合する。スプライシングエッジング6に少なくとも二つの突起8が設けられている。二つの突起8を介してそれぞれ隣り合う二つのスロット4に係合し、二つのキャビネット3をつなぎ合わせる。
【００２２】
図1と図2に示すように、本実施形態の中で、内溝7はリブ71と円弧面72を含む。円弧面72は二つのリブ71の間に位置する。突起8の頂面は円弧面72に当接し、突起8は二つのリブ71の間に当接する。
【００２３】
具体的に言えば、内溝7はリブ71と円弧面72を含み、円弧面72は二つのリブ71の間に位置し、突起8のトップ面は円弧面72に当接する。突起8は二つのリブ71の間に当接し、内溝7を突起8と係合させる。位置決めエッジング5とスプライシングエッジング6をスロット4に設ける。
【００２４】
図4と図5に示すように、本実施形態の中で、突起8は凸型当接面81と凹型当接面82を含む。凹型当接面82は凸型当接面81の両側に位置する。凸型当接面8１は円弧面72に当接する。凹型当接面82はリブ71の表面に当接する。これにより、内溝7を突起8に係合させる。
【００２５】
図1に示すように、本実施形態の中で、前面カバー1の正面に銘板11が設けられている。
【００２６】
具体的に言えば、前面カバー1に銘板11をネジで固定し、銘板11によって、キャビネットタイプ共有パワーバンクの装飾性を増す。
【００２７】
図1と図7に示すように、本実施形態の中で、キャビネット3の内部にパワーバンクを置くための置きホルダー9を備えている。前面カバー1にキャビネット3の内部に接続する置き口12が設けられ、置き口12にカバープレート13が設けられている。
【００２８】
具体的に言えば、キャビネット3の内部にパワーバンクを置くための置きホルダー9を備えている。パワーバンクをキャビネット3の内部に置かせる。前面カバー1にキャビネット3の内部に接続する置き口12が設けられる。置き口12によって、簡単にパワーバンクを置きホルダー9に置かせることができる。置き口12にカバープレート13が設けられ、カバープレート13によって置き口12を密封し、密封性を高める。
【００２９】
上述したのは本考案の好ましい実施形態にすぎず、本考案を限定するものではない。本考案の精神と原則の範囲内で行われるいかなる修正、同等置換と改善など、いずれも本考案の保護範囲に含まれるべきである。
【符号の説明】
【００３０】
1…前面カバー  2…ボトムカバー  3…キャビネット  4…スロット  5…位置決めエッジング  6…スプライシングエッジング  7…内溝  8…突起  9…置きホルダー  11…銘板  12…置き口  13…カバープレート  71…リブ  72…円弧面  81…凸当接面  82…凹当接面  01…位置決め溝
【図１】
0003224544.tif 000003
【図２】
0003224544.tif 000004
【図３】
0003224544.tif 000005
【図４】
0003224544.tif 000006
【図５】
0003224544.tif 000007
【図６】
0003224544.tif 000008
【図７】
0003224544.tif 000009